(57)【要約】【課題】焦点距離が有段階にしか選べない撮像装置であっても、より細かい画角調整が可能な撮像装置、ズーム制御方法、ズーム制御プログラムを提供する。【解決手段】中速ズームモード、高速ズームモード、低速ズームモードを使用者が選択できるようにした。そして、高速ズームモード及び低速ズームモードでは、光学ズームと電子ズームを複合的に作動させる。低速ズームモードの第２のズーム区間では、電子ズームにより倍率を増減する方向と光学ズームにより倍率を増減する方向とが逆方向となるように電子ズーム手段と光学ズーム手段とを用いて変倍を行う。【選択図】図４
2010206422.tif 000002
【特許請求の範囲】
【請求項１】
レンズ鏡筒と、
前記レンズ鏡筒を介して被写体像を撮像する撮像部と、
前記レンズ鏡筒に含まれるレンズの少なくとも一部を移動して、前記撮像部により撮影可能な被写体像の画角を変更する光学ズーム手段と、
前記撮像部から得られる撮影画像の撮影範囲を画像処理により変更する電子ズーム手段と、
前記光学ズーム手段と前記電子ズーム手段とを制御してズーム動作を行う制御手段と、
を備える撮像装置であって、
前記制御手段は、
前記光学ズーム手段及び前記電子ズーム手段のいずれもがワイド端にある倍率から予め設定した第１の倍率までの第１のズーム区間では、少なくとも前記電子ズーム手段を用いて変倍を行い、
前記第１の倍率から前記第１の倍率よりも大きい第２の倍率までの第２のズーム区間では、前記電子ズーム手段により倍率を増減する方向と前記光学ズーム手段により倍率を増減する方向とが逆方向となるように前記電子ズーム手段と前記光学ズーム手段とを用いて変倍を行い、
前記第２の倍率から前記第２の倍率より大きい第３の倍率までの第３のズーム区間では、少なくとも前記電子ズーム手段を用いて変倍を行うこと、
を特徴とする撮像装置。
【請求項２】
前記第１のズーム区間、又は、前記第３のズーム区間では、前記光学ズーム手段を用いずに前記電子ズーム手段を用いて変倍を行うこと、
を特徴とする請求項１に記載の撮像装置。
【請求項３】
倍率が単位時間当たりに変化する速度である変倍速度は、
前記第１の倍率の前後、及び、前記第２の倍率の前後において、変化しない、又は、変化が少なくなるように、前記各ズーム区間における前記光学ズーム手段及び前記電子ズーム手段それぞれの変倍速度が設定されること、
を特徴とする請求項１又は請求項２に記載の撮像装置。
【請求項４】
前記第１のズーム区間と前記第２のズーム区間と前記第３のズーム区間とに分けてズーム動作を行うズームモードに加えて、
前記電子ズーム手段を用いずに前記光学ズーム手段を駆動するズームモード、
又は、
前記光学ズーム手段と前記電子ズーム手段とを同時に倍率の増減が同じ方向に駆動するズームモード、
のうちの少なくとも一方を行えること、
を特徴とする請求項１から請求項３までのいずれか１項に記載の撮像装置。
【請求項５】
レンズ鏡筒と、
前記レンズ鏡筒を介して被写体像を撮像する撮像部と、
前記レンズ鏡筒に含まれるレンズの少なくとも一部を移動して、前記撮像部により撮影可能な被写体像の画角を変更する光学ズーム手段と、
前記撮像部から得られる撮影画像の撮影範囲を画像処理により変更する電子ズーム手段と、
を備える撮像装置のズーム制御方法であって、
前記光学ズーム手段及び前記電子ズーム手段のいずれもがワイド端にある倍率から予め設定した第１の倍率までの第１のズーム区間では、少なくとも前記電子ズーム手段を用いて変倍を行い、
前記第１の倍率から前記第１の倍率よりも大きい第２の倍率までの第２のズーム区間では、前記電子ズーム手段により倍率を増減する方向と前記光学ズーム手段により倍率を増減する方向とが逆方向となるように前記電子ズーム手段と前記光学ズーム手段とを用いて変倍を行い、
前記第２の倍率から前記第２の倍率より大きい第３の倍率までの第３のズーム区間では、少なくとも前記電子ズーム手段を用いて変倍を行うこと、
を特徴とするズーム制御方法。
【請求項６】
レンズ鏡筒と、
前記レンズ鏡筒を介して被写体像を撮像する撮像部と、
前記レンズ鏡筒に含まれるレンズの少なくとも一部を移動して、前記撮像部により撮影可能な被写体像の画角を変更する光学ズーム手段と、
前記撮像部から得られる撮影画像の撮影範囲を画像処理により変更する電子ズーム手段と、
を備える撮像装置のズーム制御プログラムであって、
コンピュータを、
前記光学ズーム手段及び前記電子ズーム手段のいずれもがワイド端にある倍率から予め設定した第１の倍率までの第１のズーム区間では、少なくとも前記電子ズーム手段を用いて変倍を行い、
前記第１の倍率から前記第１の倍率よりも大きい第２の倍率までの第２のズーム区間では、前記電子ズーム手段により倍率を増減する方向と前記光学ズーム手段により倍率を増減する方向とが逆方向となるように前記電子ズーム手段と前記光学ズーム手段とを用いて変倍を行い、
前記第２の倍率から前記第２の倍率より大きい第３の倍率までの第３のズーム区間では、少なくとも前記電子ズーム手段を用いて変倍を行う制御手段として機能させるためのズーム制御プログラム。
【発明の詳細な説明】
【技術分野】
【０００１】
本発明は、静止画像や動画像を撮像、記録、再生する撮像装置、及び、そのズーム制御方法、ズーム制御プログラムに関するものである。
【背景技術】
【０００２】
従来、焦点距離を変更可能な所謂ズームレンズを搭載した銀塩カメラ、デジタルスチルカメラ、ビデオカメラ等が知られている。このズームレンズは、複数枚のレンズから構成され、そのレンズ位置を移動させることにより焦点距離、すなわちズーム倍率を変化させるものである。
また、デジタルスチルカメラやデジタルビデオカメラの様に、撮像素子からの画像信号を電気的に処理している装置では、電子ズームも行われている。この電子ズームは、撮像装置からの画像信号の一部を拡大して表示することにより、ズーム倍率を変化させるものである。なお、上述したようにズームレンズのレンズ位置を移動させることによりズーム倍率を変化させることを、光学ズームと呼び、電子ズームと区別する。
【０００３】
このようなズーム手段を持つ撮像装置においては、従来からそのズームの速度を操作手段により変化できる技術がすでに提案されている（例えば、特許文献１，特許文献２）。ここで、ズームの速度とは、所定の時間での焦点距離変化の比を意味する。この技術により使用者は、複数のズーム速度の中から所望のズーム速度でのズーム操作を行うことができるようになる。よって、高速なズーム速度で速く所望の画角を選んだり、低速なズーム速度できめ細かく正確に画角を選んだりと、用途に合わせた操作を行うことで、撮像装置の操作性は飛躍的に向上した。
【０００４】
ところで、小型のカメラでは、Ｆ値の補正や無限フォーカス位置の補正を焦点距離毎に設定する必要から、光学ズームの焦点距離は無段階には選べずに、予め決められた焦点距離（以下、ズーミングポイントと呼称する）のみを選べるようになっているものがある。
【０００５】
この例を、光学６倍ズームを例に説明を行う。光学６倍ズームの場合には、１４段階程度のズーミングポイントが一般的であり、一段階あたり約１．１５倍程度の変倍となる。また、一段階変化するのに要する時間は０．１秒程度である。
【先行技術文献】
【特許文献】
【０００６】
【特許文献１】特許第２５０３８２３号公報
【特許文献２】特許第３２５７７０２号公報
【発明の概要】
【発明が解決しようとする課題】
【０００７】
しかし、このような有段階の焦点距離しか選べない構成では、一段階では止まらず、一段階飛ばしにしか焦点距離を選択できなくなるおそれがあった。
具体的に説明すると、ズームの速度が低速の場合は、１４段階全てのズーミングポイントを選べる。しかし、ズームの速度が１．０５倍程度に速くなった場合には、一段階の変化に要する時間は０．１／１．０５＝０．０９５秒程度となる。人間が操作手段を押して離すといった操作をする分解能は、約０．１秒前後である。したがって、一段階のズーム変倍に要する時間が少し短くなっただけで、一段階では止まらず、一段階飛ばしにしか焦点距離を選択できなくなるおそれがある。
【０００８】
つまり、１段階分ズーム（１．１５倍）しようと使用者が操作したにも関わらず、２段階（１．１５×１．１５＝１．３２２５倍）のズームを行ってしまう。したがって、従来、光学ズームのズーム速度の高速化を図ろうとすると、例えば一段飛ばしにしかズーミングポイントが選べないというような極めて大雑把な画角調整しかできなくなるという問題があった。
【０００９】
一方で、低速のズーム速度でより緻密な画角決定を行いたいという要望もある。しかし、光学ズームによってそれを行おうとすると、ズーミングポイントを多くする必要がありＦ値の補正や無限フォーカス位置の補正等の手間が増えカメラの開発期間やコストが膨大となる等の多くの問題があった。また、光学ズームは、機械的にズームを駆動させる方式であるため、モータの出力の調整によってズーム速度を変化させることは高速化と低速化共に極めて困難なものであった。
【００１０】
本発明の課題は、焦点距離が有段階にしか選べない撮像装置であっても、より細かい画角調整が可能な撮像装置、ズーム制御方法、ズーム制御プログラムを提供することである。
【課題を解決するための手段】
【００１１】
本発明の第１の側面としての撮像装置は、レンズ鏡筒と、前記レンズ鏡筒を介して被写体像を撮像する撮像部と、前記レンズ鏡筒に含まれるレンズの少なくとも一部を移動して、前記撮像部により撮影可能な被写体像の画角を変更する光学ズーム手段と、前記撮像部から得られる撮影画像の撮影範囲を画像処理により変更する電子ズーム手段と、前記光学ズーム手段と前記電子ズーム手段とを制御してズーム動作を行う制御手段とを備える撮像装置であって、前記制御手段は、前記光学ズーム手段及び前記電子ズーム手段のいずれもがワイド端にある倍率から予め設定した第１の倍率までの第１のズーム区間では、少なくとも前記電子ズーム手段を用いて変倍を行い、前記第１の倍率から前記第１の倍率よりも大きい第２の倍率までの第２のズーム区間では、前記電子ズーム手段により倍率を増減する方向と前記光学ズーム手段により倍率を増減する方向とが逆方向となるように前記電子ズーム手段と前記光学ズーム手段とを用いて変倍を行い、前記第２の倍率から前記第２の倍率より大きい第３の倍率までの第３のズーム区間では、少なくとも前記電子ズーム手段を用いて変倍を行うことを特徴とする。
【００１２】
本発明の第２の側面としてのズーム制御方法は、レンズ鏡筒と、前記レンズ鏡筒を介して被写体像を撮像する撮像部と、前記レンズ鏡筒に含まれるレンズの少なくとも一部を移動して、前記撮像部により撮影可能な被写体像の画角を変更する光学ズーム手段と、前記撮像部から得られる撮影画像の撮影範囲を画像処理により変更する電子ズーム手段と、を備える撮像装置のズーム制御方法であって、前記光学ズーム手段及び前記電子ズーム手段のいずれもがワイド端にある倍率から予め設定した第１の倍率までの第１のズーム区間では、少なくとも前記電子ズーム手段を用いて変倍を行い、前記第１の倍率から前記第１の倍率よりも大きい第２の倍率までの第２のズーム区間では、前記電子ズーム手段により倍率を増減する方向と前記光学ズーム手段により倍率を増減する方向とが逆方向となるように前記電子ズーム手段と前記光学ズーム手段とを用いて変倍を行い、前記第２の倍率から前記第２の倍率より大きい第３の倍率までの第３のズーム区間では、少なくとも前記電子ズーム手段を用いて変倍を行うことを特徴とする。
【００１３】
本発明の第３の側面としてのズーム制御プログラムは、レンズ鏡筒と、前記レンズ鏡筒を介して被写体像を撮像する撮像部と、前記レンズ鏡筒に含まれるレンズの少なくとも一部を移動して、前記撮像部により撮影可能な被写体像の画角を変更する光学ズーム手段と、前記撮像部から得られる撮影画像の撮影範囲を画像処理により変更する電子ズーム手段とを備える撮像装置のズーム制御プログラムであって、コンピュータを、前記光学ズーム手段及び前記電子ズーム手段のいずれもがワイド端にある倍率から予め設定した第１の倍率までの第１のズーム区間では、少なくとも前記電子ズーム手段を用いて変倍を行い、前記第１の倍率から前記第１の倍率よりも大きい第２の倍率までの第２のズーム区間では、前記電子ズーム手段により倍率を増減する方向と前記光学ズーム手段により倍率を増減する方向とが逆方向となるように前記電子ズーム手段と前記光学ズーム手段とを用いて変倍を行い、前記第２の倍率から前記第２の倍率より大きい第３の倍率までの第３のズーム区間では、少なくとも前記電子ズーム手段を用いて変倍を行う制御手段として機能させる。
【発明の効果】
【００１４】
本発明によれば、焦点距離が有段階にしか選べない撮像装置であっても、より細かい画角調整が可能となる。
【図面の簡単な説明】
【００１５】
【図１】本発明による撮像装置の実施形態の構成を示す図である。
【図２】本実施形態の撮像装置１００の主ルーチンのフローチャートである。
【図３】本実施形態の高速ズーム処理のフローチャートである。
【図４】低速ズームモードにおける、画角の変化を表す図である。
【図５】本実施形態の低速ズーム処理のフローチャートである。
【発明を実施するための形態】
【００１６】
以下、本発明を実施するための最良の形態について図面等を参照して説明する。
なお、以下の説明では、具体的な数値、構成、動作等を示して説明を行うが、これらは、適宜変更することができる。
【００１７】
（実施形態）
図１は、本発明による撮像装置の実施形態の構成を示す図である。
本実施形態では、ズームモードとして低速、中速、高速の三つのズームモードを有し、かつ、光学ズームの焦点距離が有段階にしか選べない撮像装置１００を例として説明を行う。撮像装置１００は、デジタルカメラやデジタルビデオカメラ等であり、レンズ鏡筒に含まれる撮影レンズ１０により得られる被写体像を撮像素子１４の撮像面に結像させて撮像する。撮影レンズ１０は、不図示の複数のレンズからなり、焦点距離を変更するズーム機構と、焦点位置を移動させるフォーカス機構とを有している。撮影レンズ１０と撮像素子１４との間には、絞り機能を備えるシャッタ１２が設けられている。撮影レンズ１０とシャッタ１２、及び、後述の保護部１０２が、本実施形態のレンズ鏡筒に設けられている。なお、本実施形態では、レンズ鏡筒が撮像装置１００に内蔵された形態としているが、レンズ鏡筒を着脱自在な交換レンズの形態としてもよい。
【００１８】
撮像素子１４は、光学像を電気信号に変換する光電変換手段である。本実施形態の撮像素子１４は、ＣＣＤ（Charge Coupled Device）イメージセンサを用いている。なお、撮像素子としては、ＣＭＯＳ（Complementary Metal Oxide Semiconductor）イメージセンサ等、他のタイプのイメージセンサでもよい。Ａ／Ｄ変換器１６は、撮像素子１４のアナログ信号出力をデジタル信号に変換する。タイミング発生回路１８は、撮像素子１４、Ａ／Ｄ変換器１６、Ｄ／Ａ変換器２６にクロック信号や制御信号を供給する。また、タイミング発生回路１８は、メモリ制御回路２２及びシステム制御回路５０により制御される。
【００１９】
画像処理回路２０は、Ａ／Ｄ変換器１６からのデータ又はメモリ制御回路２２からのデータに対して所定の画素補間処理や色変換処理を行う。また、画像処理回路２０によって撮影画像から必要な撮影範囲を切り出し、拡大処理を行うことで電子ズーム機能が実現される。さらに、画像処理回路２０は、撮像した画像データを用いて所定の演算処理を行う。この演算処理により得られた演算結果に基づいてシステム制御回路５０が露光制御部４０、フォーカス制御部４２に対して制御を行う。例えば、システム制御回路５０は、ＴＴＬ（スルー・ザ・レンズ）方式のＡＦ（オートフォーカス）処理、ＡＥ（自動露出）処理、ＥＦ（フラッシュプリ発光）処理を行っている。さらにまた、画像処理回路２０においては、撮像した画像データを用いて所定の演算処理を行い、得られた演算結果に基づいてＴＴＬ方式のＡＷＢ（オートホワイトバランス）処理も行っている。
【００２０】
メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６が出力したデジタルデータは、画像処理回路２０、メモリ制御回路２２を介して、又は、Ａ／Ｄ変換器１６から直接メモリ制御回路２２を介して、画像表示メモリ２４又はメモリ３０に書き込まれる。
【００２１】
画像表示部２８は、ＴＦＴ−ＬＣＤ（Thin Film Transistor-Liquid
Crystal Display）等から成る。画像表示部２８は、画像表示メモリ２４に書き込まれた表示用の画像データをメモリ制御回路２２及びＤ／Ａ変換器２６を介して表示する。この表示用の画像データは、画像表示部２８の画素数と同じ画素数の大きさを有する。画像表示部２８を用いて撮像した画像データを逐次表示すれば、電子ファインダ（ＥＶＦ：Electronic View Finder）機能を実現することが可能である。
また、撮像した画像データの上に、アイコンや文字列などのビットマップを重ねて画像表示部２８に表示することも可能である。これにより、電子ファインダ機能に加え、撮影情報をアイコンや文字列により表示することができる。表示する撮影情報には、ズーム倍率を視認させる表示領域、画素数、フォーカス方式、露出補正値等がある。
さらに、画像表示部２８は、システム制御回路５０の指示により任意に表示をＯＮ／ＯＦＦすることが可能であり、表示をＯＦＦにした場合には、撮像装置１００の電力消費を大幅に低減することができる。
【００２２】
メモリ３０は、撮影した静止画像や動画像を格納する記憶部であり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。また、メモリ３０は、システム制御回路５０の作業領域としても使用することが可能である。
圧縮・伸長回路３２は、適応離散コサイン変換（ＡＤＣＴ：Adaptive Discrete
Cosine Transform）等により画像データの圧縮伸長を行う。圧縮・伸長回路３２は、メモリ３０に格納された画像を読み込んで圧縮処理又は伸長処理を行い、処理を終えたデータをメモリ３０に書き込む。
【００２３】
露光制御部４０は、シャッタ１２を制御し、撮像した画像データを画像処理回路２０で所定の演算を行い、得られた演算結果に基づいて、ＡＥ（自動露出）処理を行っている。また、露光制御部４０は、フラッシュ４８と連携してフラッシュ４８の調光を行うフラッシュ調光機能も有する。
フォーカス制御部４２は、撮影レンズ１０のフォーカシング動作を制御する。これら露光制御部４０及びフォーカス制御部４２は、ＴＴＬ方式を用いて制御されている。すなわち、撮影光学系を介して撮像した画像データを画像処理回路２０によって演算した演算結果に基づき、システム制御回路５０が露光制御部４０、フォーカス制御部４２に対して制御を行う。
【００２４】
ズーム制御部４４は、撮影レンズ１０のズーミングを制御する。バリア制御部４６は、いわゆるレンズバリアである保護部１０２の動作を制御する。フラッシュ４８は、暗い場所などで光量を補うために発光を行う閃光発光部であり、ＡＦ補助光の投光機能、フラッシュ調光機能も有する。システム制御回路５０は、撮像装置１００全体を制御する制御部であり、マイクロコンピュータによって構成されている。メモリ５２は、システム制御回路５０の動作用の定数、変数、プログラム等を記憶する。
【００２５】
表示部５４は、システム制御回路５０でのプログラムの実行に応じて、文字、画像、音声等を用いて動作状態やメッセージ等を表示する。表示部５４は、撮像装置１００の操作部近辺の視認し易い位置に単数又は複数設置され、例えばＬＣＤ（Liquid Crystal Display）やＬＥＤ（Light Emitting
Diode）、発音素子等の組み合わせにより構成されている。また、表示部５４は、その一部の機能が光学ファインダ１０４内に設置されている。
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタスピード表示、絞り値表示、露出補正表示等がある。また、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付・時刻表示等もＬＣＤ等に表示する。
一方、表示部５４の表示内容のうち、光学ファインダ１０４内に表示するものとしては、合焦表示、手振れ警告表示、フラッシュ充電表示、シャッタスピード表示、絞り値表示、露出補正表示等がある。
【００２６】
不揮発性メモリ５６は、電気的に消去・記録可能な不揮発性記憶手段であり、例えばＥＥＰＲＯＭ（Electrically Erasable Programmable ROM）等が用いられる。モードダイアル６０、シャッタスイッチ６２、画像表示ＯＮ／ＯＦＦスイッチ６４、ズームスイッチ６６、及び、操作部７０は、システム制御回路５０の各種の動作指示を入力するための操作手段である。これらは、スイッチやダイアル、タッチパネル、視線検知によるポインティング、音声認識装置等の単数又は複数の組み合わせで構成される。
【００２７】
ここで、これらの操作手段の具体的な説明を行う。モードダイアル６０は、電源オフ、自動撮影モード、撮影モード、パノラマ撮影モード、再生モード、マルチ画面再生・消去モード、ＰＣ接続モード等の各機能モードを切り替え設定するときに操作される。
【００２８】
シャッタスイッチ６２は、不図示のシャッタボタンの操作途中のいわゆる半押し状態でＯＮとなるスイッチ（ＳＷ１）と、シャッタボタンの操作完了のいわゆる全押し状態でＯＮとなるスイッチ（ＳＷ２）とにより構成されている。シャッタスイッチ６２のＳＷ１がＯＮすることにより、ＡＦ（オートフォーカス）処理、ＡＥ（自動露出）処理、ＡＷＢ（オートホワイトバランス）処理、ＥＦ（フラッシュプリ発光）処理等の動作開始をシステム制御回路５０が指示する。
シャッタスイッチ６２のＳＷ２がＯＮすることにより、システム制御回路５０が露光処理、現像処理、記録処理という一連の処理の動作開始を指示する。この露光処理では、撮像素子１４から読み出した信号をＡ／Ｄ変換器１６、メモリ制御回路２２を介してメモリ３０に画像データを書き込む。また、現像処理では、画像処理回路２０やメモリ制御回路２２での演算を行う。さらに、記録処理では、メモリ３０から画像データを読み出し、圧縮・伸長回路３２で圧縮を行い、記録媒体２００，２１０に画像データを書き込む。
【００２９】
画像表示ＯＮ／ＯＦＦスイッチ６４は、画像表示部２８のＯＮ／ＯＦＦを設定することができる。この機能により、光学ファインダ１０４を用いて撮影を行うときに、ＬＣＤ等からなる画像表示部２８への電流供給を遮断することにより、省電力を図ることが可能となる。
【００３０】
ズームスイッチ６６は、ズーム動作を行うときに操作されるスイッチであり、不図示のテレスイッチとワイドスイッチとからなっている。テレスイッチがＯＮになると望遠側にズームが行われ、ワイドスイッチがＯＮになると広角側にズームが行われる。
【００３１】
操作部７０は、各種ボタンやタッチパネル等からなり、メニューボタン、セットボタン、マクロボタン、マルチ画面再生改ページボタン、フラッシュ設定ボタン、単写／連写／セルフタイマー切り替えボタン等の機能を持つ。また、操作部７０は、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等の機能を持つ。本実施形態の撮像装置が有する低速、中速、高速の三つのズームモードの切り替えは、操作部７０で所定の操作を行うことにより実現される。ズームモードに関しての詳細については後に詳述する。
【００３２】
電源制御部８０は、電池検出回路、ＤＣ−ＤＣコンバータ、通電するブロックを切り替えるスイッチ回路等により構成されている。電源制御部８０は、電池の有無、電池の種類、電池残量の検出を行い、検出結果及びシステム制御回路５０の指示に基づいてＤＣ−ＤＣコンバータを制御し、必要な電圧を必要な期間、記録媒体２００，２１０を含む各部へ供給する。
コネクタ８２、８４は、撮像装置１００の内部と電池収容部に収容された電池又はＡＣアダプター等の電源８６とを接続する。電源８６は、アルカリ電池やリチウム電池等の一次電池やＮｉＣｄ電池やＮｉＭＨ電池、Ｌｉ電池等の二次電池、ＡＣアダプター等である。
【００３３】
インタフェース９０，９４は、メモリカードやハードディスク等の記録媒体２００，２１０との接続を仲介する。コネクタ９２，９６は、メモリカードやハードディスク等の記録媒体２００，２１０との接続を行う。記録媒体着脱検知部９８は、コネクタ９２，９６の少なくとも一方に記録媒体２００，２１０が装着されているか否かを検知する。
【００３４】
なお、本実施形態では記録媒体を取り付けるインタフェース及びコネクタを２系統持つものとして説明している。これに限らず、記録媒体を取り付けるインタフェース及びコネクタは、単数又は複数、いずれの系統数を備える構成としてもよい。また、異なる規格のインタフェース及びコネクタを組み合わせて備える構成としてもよい。インタフェース及びコネクタとしては、ＰＣＭＣＩＡカードやコンパクトフラッシュ（登録商標）カード等の規格に準拠したものを用いることができる。
【００３５】
さらに、インタフェース９０，９４、そしてコネクタ９２，９６をＰＣＭＣＩＡカードやコンパクトフラッシュ（登録商標）カード等の規格に準拠したものを用いて構成した場合、データの通信に利用可能である。すなわち、この部分に各種通信カードを接続することにより、他のコンピュータやプリンタ等の周辺機器との間で画像データや画像データに付属した管理情報を転送し合うことができる。通信カードとしては、例えば、ＬＡＮカードやモデムカード、ＵＳＢカード、ＩＥＥＥ１３９４カード、Ｐ１２８４カード、ＳＣＳＩカード、ＰＨＳ等の通信カード等を用いることができる。
【００３６】
保護部１０２は、撮像装置１００の撮影レンズ１０を含む撮像部を覆うことにより、撮像部の汚れや破損を防止するバリアである。光学ファインダ１０４は、画像表示部２８による電子ファインダ機能を使用すること無しに、光学像のみを用いて構図確認を行うことが可能である。また、光学ファインダ１０４内には、表示部５４の一部の機能、例えば、合焦表示、手振れ警告表示、フラッシュ充電表示、シャッタスピード表示、絞り値表示、露出補正表示等を行う小型の表示部が設置されている。
【００３７】
通信部１１０は、ＲＳ２３２ＣやＵＳＢ、ＩＥＥＥ１３９４、Ｐ１２８４、ＳＣＳＩ、モデム、ＬＡＮ、無線通信等の各種通信機能を有する。コネクタ１１２は、通信部１１０により撮像装置１００を他の機器と接続する。なお、無線通信の場合は、コネクタ１１２の代わりにアンテナを用いるとよい。
【００３８】
記録媒体２００は、メモリカードやハードディスク等である。記録媒体２００は、半導体メモリや磁気ディスク等から構成される記録部２０２と、撮像装置１００とのインタフェース２０４と、撮像装置１００と接続を行うコネクタ２０６とを備えている。記録媒体２１０は、メモリカードやハードディスク等である。記録媒体２１０は、半導体メモリや磁気ディスク等から構成される記録部２１２と、撮像装置１００とのインタフェース２１４と、撮像装置１００と接続を行うコネクタ２１６とを備えている。
【００３９】
次に、本実施形態の撮像装置の動作を説明する。図２は、本実施形態の撮像装置１００の主ルーチンのフローチャートである。ステップ（以下、Ｓ）１０１では、電池交換等の電源投入により、システム制御回路５０はフラグや制御変数等を初期化する。Ｓ１０２では、画像表示部２８の画像表示をＯＦＦ状態に初期設定する。
【００４０】
Ｓ１０３では、システム制御回路５０は、モードダイアル６０の設定位置を判断する。モードダイアル６０が電源ＯＦＦに設定されていたならば、Ｓ１０５へ進む。また、モードダイアル６０が撮影モードに設定されていたならば、Ｓ１０６へ進む。さらに、モードダイアル６０がその他のモードに設定されていたならば、Ｓ１０４へ進む。
【００４１】
Ｓ１０４では、システム制御回路５０は、選択されたモードに応じた処理を実行し、処理を終えたならばＳ１０３に戻る。Ｓ１０５では、終了処理を行う。この終了処理では、各表示部の表示を終了状態に変更し、保護部１０２のバリアを閉じて撮像部を保護する。また、終了処理では、フラグや制御変数等を含む必要なパラメータや設定値、設定モードを不揮発性メモリ５６に記録し、電源制御部８０により画像表示部２８を含む撮像装置１００各部の不要な電源を遮断する。終了処理が完了したら、Ｓ１０３に戻る。
【００４２】
Ｓ１０６では、システム制御回路５０は、電源制御部８０により電池等により構成される電源８６の残容量や動作状況が撮像装置１００の動作に問題があるか否かを判断する。その結果、電源８６に問題があるならばＳ１０８へ進み、電源８６に問題が無いならばＳ１０７へ進む。
【００４３】
Ｓ１０８では、表示部５４を用いて画像や音声により所定の警告表示を行った後に、Ｓ１０３に戻る。Ｓ１０７では、システム制御回路５０は、記録媒体２００又は記録媒体２１０の動作状態が撮像装置１００の動作、特に記録媒体に対する画像データの記録再生動作に問題があるか否かを判断する。その結果、問題があるならばＳ１０８へ進み警告を行う。一方、判定の結果、記録媒体２００又は記録媒体２１０の動作状態に問題が無いならば、Ｓ１０９へ進む。Ｓ１０９では、表示部５４を用いて画像や音声により撮像装置１００の各種設定状態の表示を行う。
【００４４】
Ｓ１１０では、システム制御回路５０は、画像表示ＯＮ／ＯＦＦスイッチ６４が押されたかどうかを判定する。この判定の結果、画像表示ＯＮ／ＯＦＦスイッチ６４が押されていれば、Ｓ１１１へ進み、画像表示ＯＮ／ＯＦＦスイッチ６４が押されていなければ、Ｓ１１８へ進む。Ｓ１１１では、画像表示フラグのＯＮ／ＯＦＦを調べる。画像表示フラグがＯＦＦに設定されていたならば、Ｓ１１２へ進み、画像表示フラグがＯＮに設定されていたならば、Ｓ１１６へ進む。
【００４５】
Ｓ１１２では、画像表示フラグをＯＮに設定する。Ｓ１１３では、画像表示部２８の画像表示をＯＮ状態に設定する。Ｓ１１４では、撮像した画像データを逐次表示するスルー表示状態に設定する。Ｓ１１５では、スルー表示の上にズーム倍率を視認させる表示領域を重ねて表示する。このＳ１１５で行うズーム倍率を視認させる表示は、ビットマップの描画と表示により行われる。描画したビットマップを、ＥＶＦの上に重ねて表示する。ビットマップをＥＶＦの上に重ねて表示する方法は、広く知られており、ここでは特に説明しない。
【００４６】
Ｓ１１６では、画像表示フラグを解除する。Ｓ１１７では、画像表示部２８の画像表示をＯＦＦ状態に設定し、Ｓ１１８に進む。画像表示ＯＦＦの場合は、画像表示部２８による電子ファインダ機能を使用せず、光学ファインダ１０４を用いて撮影を行う。この場合、電力消費量の大きい画像表示部２８やＤ／Ａ変換器２６等の消費電力を削減することが可能となる。なお、画像表示フラグの状態は、システム制御回路５０の内部メモリ又はメモリ５２に記憶する。また、起動時においては画像表示フラグがＯＦＦである。
【００４７】
Ｓ１１８では、システム制御回路５０は、選択されているズームモードに応じたズーム処理を行う。Ｓ１１８におけるズーム処理の詳細は後述する。Ｓ１１９では、システム制御回路５０は、シャッタスイッチ６２、操作部７０その他のスイッチの状態がＯＮであるか否かを判別する。スイッチの状態がＯＮであった場合は、Ｓ１２０へ進み、スイッチの状態がＯＦＦであった場合は、何もせずにＳ１０３に戻る。
Ｓ１２０では、撮影動作など、選択されたスイッチの状態に応じた処理を実行した後、Ｓ１０３に戻る。
【００４８】
続いて、ズームモードについて詳細な説明を行う。本実施形態の撮像装置１００では、上述したように、低速、中速、高速の三つのズームモードを有している。そして、操作部７０を用いて所定の操作を行うことによりズームモードを中速から低速へ又は低速から高速へ等、ズームモードを自由に切り替えることができる。使用者のズーム操作を行うと、使用者が選択しているズームモードに応じたズーム処理がなされる。例えば、高速ズームモードを選択しているときは、高速ズーム処理を行う。中速モードは、光学ズームのみを用いてズームを行うモードであり、光学ズームのみを用いての変倍は広く一般に知られている技術なのでここでは詳述しない。
【００４９】
先ず、高速ズームモードについて説明を行う。高速ズームモードは、文字通り高速にズームを行うモードであり、中速モードと比較して高速に画角変更を行うことができるモードである。本実施形態では、この高速ズームモードにおいては光学ズームと電子ズームを複合的に用いる。
【００５０】
図３は、本実施形態の高速ズーム処理のフローチャートである。図３を参照して、高速ズーム処理の動作を説明する。Ｓ２０１では、先ず始めに、使用者のズームスイッチ６６の操作情報がシステム制御回路５０に伝達される。システム制御回路５０は、ズームスイッチ６６がＯＦＦであるかどうかを判定する。ズームスイッチ６６がＯＦＦの場合は、Ｓ２０１に戻り、ズームスイッチ６６がＯＮとなるまでこの判定を繰り返す。ズームスイッチ６６がＯＮである場合は、Ｓ２０２へ進む。
【００５１】
Ｓ２０２では、ズームスイッチ６６がテレ方向にＯＮであるかどうかを判定する。テレ方向にＯＮである場合はＳ２０３へ進み、テレ方向にＯＮでない場合、すなわちワイド方向にＯＮの場合はＳ２０４へ進む。Ｓ２０３では、テレ方向に光学ズームと電子ズームを同時にそれぞれ一段階だけ駆動してズームスイッチ６６がＯＦＦかどうかを判定するＳ２０１に戻る。Ｓ２０４では、ワイド方向に光学ズームと電子ズームを同時に一段階ずつだけ駆動してズームスイッチ６６がＯＦＦかどうかを判定するＳ２０１に戻る。
【００５２】
高速ズームモードで光学ズームと電子ズームを同時に駆動するとき、倍率は光学ズームの倍率と電子ズームの倍率を掛け合わせたものとなる。また、その見かけの焦点距離は、光学ズームだけを用いた場合、つまり中速ズームモードの時の焦点距離とは違うものとなる。一例として、一段階につき１．１５倍だけ焦点距離が変化しワイド端が３５ｍｍの光学系を撮像装置が有していた場合を想定する。この場合、使用者は、中速ズームモードを選択し光学ズームだけを用いた場合には焦点距離は３５ｍｍ、４０．２５ｍｍ、４６．２９ｍｍ・・・というような焦点距離が選べる。
【００５３】
これに対して、高速ズームモードにおいては、光学ズームと電子ズームを同時に行う。ここで、上記例と同様に、一段階につき１．１５倍だけ焦点距離が変化しワイド端の焦点距離が３５ｍｍの光学系を用いる場合を例に挙げて説明する。この場合、光学ズームが１．１５倍の変倍を行う間に電子ズームを例えば１．０５倍だけ焦点距離が変化するように作動させると、１．１５倍×１．０５倍つまり約１．２１倍ずつ焦点距離が変化するようになる。
【００５４】
つまり、得られる撮影画像の見かけの焦点距離は、３５ｍｍ、４２．００ｍｍ、５０．４０ｍｍ・・・という１．２１倍ずつ変化する見かけの焦点距離を使用者は選択できる。つまり、高速ズームモード時には、中速モード時とは違う見かけの焦点距離（画角）の系列を取ることとなる。そして、高速ズームモード時に一段階の変化に要する時間は中速ズームモード時に一段階の変化に要する時間と略同じである。つまり、単位時間当たりの変倍速度が高速ズームモード時のほうが中速モード時に比べて大きいので高速ズームモードを選択しているときには、中速ズームモードを選択しているときに比べて、高速に画角の変更を行うことができる。
【００５５】
次に低速ズームモードについて説明を行う。低速ズームモードは、文字通り低速にズームを行うモードであり、中速モードと比較して遅い速度で画角変更を行うことができるモードである。
本実施形態では、この低速ズームモードにおいて、光学ズームと電子ズームを複合的に用いる。図４は、低速ズームモードにおける、画角の変化を表す図である。図４には、ワイド端から低速ズームモードで一気にテレ端までズーム動作を行った場合を示しており、横軸は時間を示し、縦軸は倍率を示している。時間ａ（すなわちズーム開始時点であり、時間としてはゼロ）でワイド端の倍率Ａであり、時間ｂで倍率Ｂ（第１の倍率）、時間ｃで倍率Ｃ（第２の倍率）、時間ｄでテレ端の倍率Ｄ（第３の倍率）となっている。なお、上述の倍率Ａは、撮影レンズ１０の光学系により決まる値であり、倍率Ｂと倍率Ｃと倍率Ｄは、予め設定されている。
また、図４の横軸は時間としているが、ズームスイッチ６６をテレ方向からワイド方向へ途中で切換えた場合等では、図４の倍率が下がる方向に動作を行うので、図４の横軸は、ズームの状態を表すものとしても見ることができる。本実施形態では、以下に示す３つのズーム区間が設けられており、ズーム区間によって動作が異なる。
【００５６】
（第１のズーム区間）
時間ａから時間ｂに対応する倍率Ａから倍率Ｂの第１のズーム区間では、光学ズームは倍率Ａのワイド端の状態のまま、変倍速度（Ｂ−Ａ）／（ｂ−ａ）で電子ズームだけが行われる。ここで、変倍速度とは、倍率が単位時間当たりに変化する速度を表すものとする。
【００５７】
（第２のズーム区間）
時間ｂから時間ｃに対応する倍率Ｂから倍率Ｃの第２のズーム区間では、倍率を増減する方向が互いに逆方向となるように電子ズームと光学ズームが同時に実行される。例えば、倍率Ａから倍率Ｂの間でズームスイッチ６６がテレ方向に押されているとき、倍率がＢに達すると、それから倍率Ｃまでの間、光学ズームは、テレ方向に駆動を開始し、電子ズームは、その逆のワイド方向に縮小を行う。このとき、光学ズームの変倍速度は、（Ｃ−Ａ）／（ｃ−ｂ）であり、電子ズームの変倍速度は、（Ａ−Ｂ）／（ｃ−ｂ）である。なお、Ａ＜Ｂであるから、電子ズームの変倍速度は、マイナスの値、すなわち、光学ズームとは逆の縮小方向となる。この結果、得られる撮影画像の全体の変倍速度は、（Ｃ−Ｂ）／（ｃ−ｂ）である。
【００５８】
（第３のズーム区間）
時間ｃから時間ｄに対応する倍率Ｃから倍率Ｄの第３のズーム区間では、光学ズームは、倍率Ｃの状態のまま、変倍速度（Ｄ−Ｃ）／（ｄ−ｃ）で電子ズームだけが行われる。
【００５９】
なお、第１のズーム区間と第２のズーム区間との切り替わりの位置となる全体の倍率がＢの前後では、変倍速度が変化しないか、又は、変倍速度の変化が少なくなるようにすることが望ましい。そうすることにより、変倍速度が急変して使用者が違和感を覚えることを防止できる。同様な理由から、第２のズーム区間と第３のズーム区間との切り替わりの位置となる全体の倍率がＣの前後では、変倍速度が変化しないか、又は、変倍速度の変化が少なくなるようにすることが望ましい。本実施形態では、第１のズーム区間から第３のズーム区間まで全てのズーム区間において、変倍速度が一定となっている。
【００６０】
図５は、本実施形態の低速ズーム処理のフローチャートである。図５を参照して、低速ズーム処理の動作を説明する。Ｓ３０１では、先ず始めに、ズームスイッチ６６による使用者からの操作情報がシステム制御回路５０に伝達される。システム制御回路５０は、ズームスイッチ６６がＯＦＦであるかどうかを判定する。ＯＦＦの場合はＳ３０１に戻り、ズームスイッチ６６がＯＮである場合は、Ｓ３０２へ進む。
【００６１】
Ｓ３０２では、ズームスイッチ６６がテレ方向にＯＮであるかどうかを判定する。ズームスイッチ６６がテレ方向にＯＮであるときは、Ｓ３０３へ進む。一方、ズームスイッチ６６がテレ方向にＯＮではない、すなわち、ワイド方向にＯＮであるときは、Ｓ３０６へ進む。
【００６２】
Ｓ３０３では、ズーム区間が第２のズーム区間であるか否かを判定する。第２のズーム区間である場合には、Ｓ３０４へ進み、第２のズーム区間ではない（すなわち、第１のズーム区間、又は、第３のズーム区間）場合には、Ｓ３０５へ進む。Ｓ３０４では、光学ズームをテレ方向に、かつ、電子ズームをワイド方向に同時に一段階駆動し、Ｓ３０１に戻る。Ｓ３０５では、電子ズームだけをテレ方向に一段階駆動し、Ｓ３０１に戻る。
【００６３】
Ｓ３０６では、ズーム区間が第２のズーム区間であるか否かを判定する。第２のズーム区間である場合には、Ｓ３０７へ進み、第２のズーム区間ではない（すなわち、第１のズーム区間、又は、第３のズーム区間）場合には、Ｓ３０８へ進む。Ｓ３０７では、光学ズームをワイド方向に、かつ、電子ズームをテレ方向に同時に一段階駆動し、Ｓ３０１に戻る。Ｓ３０８では、電子ズームだけをワイド方向に一段階駆動し、Ｓ３０１に戻る。
【００６４】
低速ズームモードで光学ズームと電子ズームを同時に駆動するとき、倍率は光学ズームと電子ズームを掛け合わせたものとなる。また、得られた画像に対応する画角に相当する見かけの焦点距離は、光学ズームだけを用いた場合、つまり中速ズームモードの時の焦点距離とは違うものとなる。
一例として、先の例と同様に、一段階につき１．１５倍だけ焦点距離が変化しワイド端が３５ｍｍの光学系を撮像装置が有していた場合を想定する。この場合、使用者は、中速ズームモードを選択し光学ズームだけを用いた場合には焦点距離は３５ｍｍ、４０．２５ｍｍ、４６．２９ｍｍ・・・というような焦点距離が選べる。
【００６５】
これに対して、低速ズームモードにおいて、第１のズーム区間では、光学ズームはワイド端のままで電子ズームのみで例えば１．１１倍ずつ変倍させる。
第２のズーム区間では、光学ズームと電子ズームを同時に行う。光学ズームは、上述したワイド端の焦点距離が３５ｍｍの光学系と同じ光学系により行うので、一段階につき１．１５倍だけ焦点距離が変化する。光学ズームが１．１５倍の変倍を行う間に電子ズームを０．９７倍だけ焦点距離が変化するように作動させると、１．１５倍×０．９７倍つまり約１．１１倍ずつ焦点距離が変化するようになる。
【００６６】
そして、光学ズームがテレ端に達して第３のズーム区間となったら、光学ズームをテレ端に保持したまま電子ズームを再び１．１１倍ずつ変化させる。こうすることにより、３５ｍｍ、３８．８５ｍｍ、４３．１２ｍｍ・・・という１．１１倍ずつ変化する焦点距離を使用者は選択できる。つまり、低速ズームモード時には、中速モード時とは違う焦点距離の系列を取ることとなる。そして、低速ズームモード時に一段階の変化に要する時間は、中速ズームモード時に一段階の変化に要する時間と略同じである。つまり単位時間当たりの変倍速度が低速ズームモード時のほうが中速モード時に比べて小さいので低速ズームモードを選択しているときには中速ズームモードを選択しているときに比べて、低速で画角の変更を行うことができる。加えて、中速ズームモードでの一段階の変倍が１．１５倍であるのに対して低速ズームモードでは１．１１倍である。
【００６７】
以上説明したように、本実施形態では、中速ズームモード、高速ズームモード、低速ズームモードを使用者が選択できるようにした。そして、高速ズームモード及び低速ズームモードでは、光学ズームと電子ズームを複合的に作動させるので光学ズームの焦点距離が有段階にしか選べない撮像装置において以下のような効果を得ることができる。
【００６８】
ズーム一段階の変化に要する時間が人間の操作の分解能の時間程度に設定されていた場合、光学ズームだけを用いてズーム速度の高速化を行うと、一段階の変倍に要する時間が中速ズームモード時の一段階の変化に要する時間に比べて短くなる。よって、人間の操作の分解能の時間よりも短くなり、一段階では止まらずに二段階の変倍をしてしまうおそれがある。例えば、３５ｍｍから４０．２５ｍｍを通り越して４６．２９ｍｍに変倍してしまうおそれがある。
【００６９】
しかし、本実施形態の高速ズームモードでは、３５ｍｍから４２ｍｍへの変倍に要する時間は、中速モード時の一段階に要する時間と略同じである。したがって、例えば３５ｍｍから４２ｍｍへと使用者が一段階変倍させようとした場合、４２ｍｍを通り過ぎて５０．４０ｍｍに変倍してしまうということはなく、４２ｍｍの焦点距離を選択することができる。つまり、中速ズームモードに比べ一段階で変倍する量が大きくなり画角選択は多少粗くなるが、光学ズームのみを用いて高速化を図った場合に比べて格段にきめ細かな画角選択が可能となる。すなわち、高速ズームときめ細かな画角選択の両立を実現できる。
【００７０】
また、低速ズームモードでは、中速ズームモードよりもズーム速度が遅くかつ一段階当たりのズームの変倍量が小さいので、使用者はよりきめの細かい画角選択を行うことができる。
【００７１】
（変形形態）
以上説明した実施形態に限定されることなく、種々の変形や変更が可能であって、それらも本発明の範囲内である。
（１）実施形態では、高速ズームモード、中速ズームモード、低速ズームモードの三つのズームモードをもつ撮像装置を例として説明を行った。これに限らず、高速ズームモードは、電子ズームの一段階当たりの変倍量を変化させる等して第１高速ズームモードと第１高速ズームモードよりも一段階当たりの変倍量の大きい第２高速ズームモードを有する、すなわち、二つ以上のモードを有してもよい。
【００７２】
また、低速ズームモードは、電子ズームの一段階当たりの変倍量を変化させる等して第１低速ズームモードと第１低速ズームモードよりも一段階当たりの変倍量の小さい第２低速ズームモードを有する、すなわち、二つ以上のモードを有してもよい。この例においては、第１高速ズームモード、第２高速ズームモード、中速ズームモード、第２低速ズームモード、第１低速ズームモードの五つのズームモードを備えることとなる。
さらに、ズームモードは６つ以上になってもよい。さらにまた、第１高速ズームモード、中速ズームモード、第２低速ズームモード、第１低速ズームモードを有する構成等、高速ズームモードの数と低速ズームモードの数が違ってもよい。
逆に、低速ズームモードと中速ズームモード、又は、高速ズームモードと中速ズームモードの二つだけのモードを有する構成とする等してもよく、ズームモードの数を限るものではない。
【００７３】
そして、実施形態の説明においては、記録媒体２００及び記録媒体２１０は、撮像装置１００と分離していて任意に接続可能なものとして説明したが、いずれか又は全ての記録媒体が撮像装置１００に固定したままとなっていてもよい。
さらにまた、撮像装置１００に記録媒体２００又は記録媒体２１０が、単数又は複数の任意の個数接続可能な構成であってもよい。そして、撮像装置１００に記録媒体２００及び記録媒体２１０が装着する構成として説明したが、記録媒体は単数又は複数のいずれの組み合わせの構成であってもよい。
【００７４】
（２）実施形態において、撮像装置１００単体を用いて説明を行ったが、これに限らず、例えば、複数の機器から構成されるシステムに本発明を適用してもよい。
【００７５】
（３）実施形態において、撮像装置１００の各部が上述した各種機構を実現することとして説明を行った。本発明の各機能は、ネットワーク又は各種記憶媒体を介して取得したソフトウェア（ズーム制御プログラム）をパソコン等の処理装置（ＣＰＵ、プロセッサ）にて実行することでも実現できる。なお、実施形態及び変形形態は、適宜組み合わせて用いることもできるが、詳細な説明は省略する。また、本発明は以上説明した各実施形態によって限定されることはない。
【符号の説明】
【００７６】
１０    撮影レンズ
１２    シャッタ
１４    撮像素子
４０    露光制御部
４２    フォーカス制御部
４４    ズーム制御部
４６    バリア制御部
５０    システム制御回路
１００    撮像装置
【図１】
2010206422.tif 000003
【図２】
2010206422.tif 000004
【図３】
2010206422.tif 000005
【図４】
2010206422.tif 000006
【図５】
2010206422.tif 000007